(57)【要約】【課題】風圧による傘布の損傷を防止し、かつ簡易に傘布の着脱が可能な傘布固定具を提供する。【解決手段】本発明の傘布固定具は傘布７の裏面に固着されて親骨５における長さ方向の中間部分に着脱自由に固着する傘布固定具であって、中央部に前記親骨５を抜き差し可能に嵌挿支持する頂部を開放したＣ形の親骨支持部１１が立設されているとともに前記親骨支持部１１を挟んで両側に取付け用脚片１２，１２が延設されている固定具本体１と、所定の間隔で上下方向に向けて配置した前記取付け用脚片１２，１２を緩挿する差込部８２，８２を互いに対向させて傘布７の裏面の所定位置に固着される一対のループ部材８１，８１により構成される前記固定具本体を傘布に固着するための傘布固着部材８とから構成されている。【選択図】図３
2015208474.tif 000002
【特許請求の範囲】
【請求項１】
傘布の裏面に固着されて親骨における長さ方向の中間部分に着脱自由に固着する傘布固定具であって、
中央部に前記親骨を抜き差し可能に嵌挿支持する頂部を開放したＣ形の親骨支持部が立設されているとともに前記親骨支持部を挟んで両側に取付け用脚片が延設されている固定具本体と、
所定の間隔で上下方向に向けて配置した前記取付け用脚片を緩挿する差込部を互いに対向させて傘布の裏面の所定位置に固着される一対のループ部材により構成される前記固定具本体を傘布に固着するための傘布固着部材とから構成されることを特徴とする傘布固定具。
【請求項２】
前記傘布がほぼ三角形状をなす複数枚の布片を接合代で縫着または溶着などの固着手段により互いに接合して形成されているとともに前記傘布固着部材が前記固着手段により一体的に傘布に固着されていることを特徴とする請求項１記載の傘布固定具。
【請求項３】
前記取付け用脚片が弾性材により形成されていることを特徴とする請求項１または２記載の傘布固定具。
【請求項４】
前記固定具本体における親骨支持部の親骨への支持力が、前記傘布固着部材の傘布への固着力よりも小さいことを特徴とする請求項１，２または３記載の傘布固定具。
【請求項５】
前記傘布固着部材が所定位置に少なくとも長さ方向に間隔を有して２つのスリットを形成した１つのループ体からなり、前記傘布に取り付け後に中央部分を押し潰してその両端に互いに対向させて所定の間隔で上下方向に向けて配置した一対のループ状を呈する前記取付け用脚片の差込部を形成させたことを特徴とする請求項１，２，３または４記載の傘布固定具。
【発明の詳細な説明】
【技術分野】
【０００１】
本発明は、親骨に張設した傘布を親骨の中間部分に固定するために用いられる傘布固定具に関するものである。
【背景技術】
【０００２】
従来から、図１０に示すように、傘は、基端に手元２を備えた中軸３の先端に配置した上ロクロ４の外周に基端部を枢着させて開閉可能に取り付けられた複数の親骨５に露先６を介して傘布７を張設したものが一般的である。
【０００３】
また、前記親骨５は長尺であることから前記露先６を用いて傘布７を親骨５に張設するだけでは親骨５と傘布７とを一体にすることができず、内側からの風などにより生じる押圧力による傘布７の離脱を防ぐ必要から、傘布７を親骨５の中間部においても固着する手段がとられている。
【０００４】
ところで、傘布７は布製が一般的であったことから傘布７を親骨５の中間部において固着する際に糸９を用いて縫着する手段が一般的であったが、縫着作業は製作工程でも手間が掛かることから取り付けの容易化が図られ、また、近頃では廃棄時の分別やリサイクル、更には交換を考慮して傘布が取り外し可能な傘が望まれており、取り付けならびに取り外し可能な露先６とともに親骨５の中間部と傘布７とを固着する手段も縫着によらずに取り外しが可能な手段が採用されるようになってきている。
【０００５】
そして、前記親骨５の中間部において取り外し可能に傘布７を親骨５に固着させる手段として、例えば図１１に示したような帯状の傘布固着部材９１ａを巻回させてホック９２ａにより固着する構成の傘布固定具９３ａ（実公昭３１−２７７１号公報）が知られているが、取り付ける際に手作業でホック９２ａを嵌めなければならず量産に支障が生じるという問題がある上、傘布固着部材９１ａで直接親骨５を保持することから固着部に緩衝性が無いために内側から風が巻き込んだ時に傘布７ａや傘布７ａと前記傘布固定具９３ａの接合部が破損しやすいという問題がある。
【０００６】
また、図１２に示すように、前記ホックの代わりに帯状の傘布固着部材９４ｂを巻回させて面ファスナ９５ｂにより止着することにより固着作業を簡単にした傘布固定具９６ｂ（実用新案登録第３１５０８０７号公報）が提示されているが、比較的高価な面ファスナ９５ｂを各親骨毎に設置することが必要なことから材料費が嵩むとともに付設の手間がかかるという問題がある上、緩衝性が無いために内側から風が巻き込んだ時に傘布７ｂや傘布７ｂと前記傘布固定具９５ｂの接合部が破損しやすいという問題がある。
【０００７】
更に、図１３に示したような例えば弾性樹脂や弾性線材により形成されるＣ形の嵌合部９７ｃを親骨５ｃに抜き差し可能に嵌め込む傘布固定具９８ｃ（特開２００２−２３８６２５号公報）が知られており、この傘布固定具９８ｃは、親骨５ｃをＣ形の空間に差し込むだけの簡単な作業で固着できるばかりか親骨５ｃと傘布７ｃの着脱が簡単でリサイクルや傘布の交換には適しており、更に、使用の際に傘布７ｃに内側から風が巻き込んだりして傘布７ｃが内側から外側に押圧された際に親骨５ｃとの嵌合を解除して風圧による親骨５ｃや傘布７ｃの損傷を防止するなどの優れた利点を有している。
【０００８】
しかしながら、前記従来のＣ形の嵌合部９７ｃを親骨５ｃに抜き差し可能に嵌め込む傘布固定具９７ｃは傘布７ｃへの固着手段が基部を直接縫いつけるものや、基部に巻回させた帯状片を溶着やリベットなどの手段により固着するもので、どちらも傘布７ｃへの固着部分の接触面積が少なく、使用時の風圧で固着部に直接引っ張り力が集中し損傷しやすく、これを避けるためには親骨５ｃとＣ形の嵌合部９７ｃとの連結強度を弱めに設定しなければならず、必要以上に、風の低い押圧力でも親骨５ｃと傘布７ｃが外れやすい傘としなければならない。また、帯状片を巻回させるものについても同様な事が言える上、加えてＣ形の遊端部から抜け出てしまうことから帯状片との固着手段に工夫が必要であり、複雑な構成になったり、作業工程が煩雑になり、多量生産に適さないという問題もある。
【０００９】
また、近頃、傘布として布製でなくポリオレフィン・エラストマー（ＰＯＥ）の透明あるいはエチレン・酢酸ビニルコポリマー（ＥＶＡ樹脂）の半透明の合成樹脂製のビニール傘と称される傘が多用されており、これらの傘については針孔が広がることから縫着手段を用いることが困難であり、また、リベットの場合には専用の機械が必要であるとともに熟練を要するという課題がある。そこで、ビニール傘は傘布がほぼ三角形状をなす複数枚の布片を接合代で縫着または溶着などの固着手段により互いに接合して形成されていることから、図１４  に示すように、前記傘布７ｄの接合作業時における接合代７２ｄにループ状片からなる傘布固定具９９ｄを重ねて溶着したものが特開２００８−１２５９５７号公報に提示されている。
【００１０】
この固着手段は、熱溶着により傘布固定具９９ｄを取り付けることができることから縫着、リベットのような他の係止方法よりも軽量シンプルであり、製造工程上でも現場が不慣れにより混乱しないという理由もあって製造が容易且つ迅速で多量生産にも適している。
【００１１】
ところが、前述のように親骨５ｄと傘布７ｄを係止する部分（露先は比較的強固）は堅牢性に欠け、傘布７ｄが受ける風に引かれて、その衝撃が、固着された傘布固定具９９ｄにも直接同様の力が働き、糸による縫着に比べ熱溶着は係止力が弱く離脱しやすく、一旦剥がれてしまうと消費者には修復が困難であり、製造が容易な反面、傘布固定具９９ｄがループ状であることから再使用が可能な状態で親骨５ｄを抜き取ることが困難であるという問題もある。
【先行技術文献】
【特許文献】
【００１２】
【特許文献１】実公昭３１−２７７１号公報
【特許文献２】実用新案登録第３１５０８０７号公報
【特許文献３】特開２００２−２３８６２５号公報
【特許文献４】特開２００８−１２５９５７号公報
【発明の概要】
【発明が解決しようとする課題】
【００１３】
本発明は、前記従来の傘における親骨の中間部分と傘布とを固着するための傘布と固着具が有する問題点を解決するためになされたものであって、巻込み風による傘布固着部材の損傷や剥がれを事前に防止することができるとともに、製造について熟練を必要とせず、生産性に優れているばかりか傘布が受けた衝撃によっても損傷することなく、特に、消費者においても簡単な操作で脱着可能である傘布固定具を提供することを課題とする。
【課題を解決するための手段】
【００１４】
前記課題を解決するためになされた本発明である親骨への傘布固定具は、傘布の裏面に固着されて親骨における長さ方向の中間部分に着脱自由に固着する傘布固定具であって、中央部に前記親骨を抜き差し可能に嵌挿支持する頂部を開放したＣ形の親骨支持部が立設されているとともに前記親骨支持部を挟んで両側に取付け用脚片が延設されている固定具本体と、所定の間隔で上下方向に向けて配置した前記取付け用脚片を緩挿する差込部を互いに対向させて傘布の裏面の所定位置に固着される一対のループ部材により構成される前記固定具本体を傘布に固着するための傘布固着部材とから構成されることを特徴とする。
【００１５】
本発明によれば、親骨を抜き差し可能に嵌挿支持する頂部を開放したＣ形の親骨支持部により親骨を固着することから、前記従来のＣ形の嵌合部を親骨に抜き差し可能に嵌め込む傘布固定具と同様に、親骨の着脱が容易であって、製造が容易であるばかりか、消費者における傘布の交換も簡単に行うことができる。特に、使用中に傘布に内側から風圧などの衝撃が加わった場合に、傘布固着部材の差込部内に緩挿させた前記固定具本体の取付け用脚片で、引っ張り力に対して緩衝作用が生じ直に傘布に衝撃が伝達しないので傘布の損傷を防止する。
【００１６】
また、本発明において、前記傘布がほぼ三角形状をなす複数枚の布片を接合代で縫着または溶着などの固着手段により互いに接合して形成されているとともに傘布固着部材を前記傘布を形成する布片の固着手段を用いて一体的に傘布に固着することにより、生産性を向上させることが可能であり、多量生産にも対応することができる。
【００１７】
更に、前記取付け用脚片が弾性材により形成されている場合には、使用時に傘布が受ける風圧による衝撃を傘布固着部材と傘布との固着に緩衝作用を増加させて両者の固着力の維持を増加させる。
【００１８】
更にまた、本発明において、前記固定具本体における親骨支持部と親骨との支持力が、前記傘布固着部材の傘布への固着力よりも小さい場合には、例えば使用時に内側からの風圧により傘布に衝撃が加わった場合に、前記傘布固着部材が傘布から外れる前に固定具本体における親骨支持部と親骨との係合が解除されることから傘布の損傷を防ぐことができ、再使用も容易にできる。
【００１９】
加えて、本発明において、前記傘布固着部材が所定位置に少なくとも長さ方向に間隔を有して２つのスリットを形成した１つのループ体からなり、前記傘布に取り付け後に中央部分を押し潰してその両端にそれぞれの差込口を互いに対向させて所定の間隔で上下方向に向けて配置した一対のループ状を呈する差込部を形成させた場合には傘布固着部材を一つの部材により形成することができるので更に生産性を向上させることができる。
【発明の効果】
【００２０】
本発明によれば、熟練を要さず容易に且つ迅速に取り付け可能であって生産性に優れているばかりか、傘布７と親骨５との固着も確実で、使用時に風圧により傘布７が受けた衝撃によっても損傷することなく、特に、消費者が簡単に脱着することができるので傘布の修理や交換も容易である。
【図面の簡単な説明】
【００２１】
【図１】本発明の実施の形態を使用した傘の裏面側からみた斜視図。
【図２】本発明の好ましい実施の形態を示す説明図。
【図３】図２に示した実施の形態の使用状態の斜視図。
【図４】図２に示した実施の形態の横断面図。
【図５】本発明における傘布固定具の異なる実施の形態を示す説明図。
【図６】図５に示した実施の形態の使用状態の斜視図。
【図７】図５に示した実施の形態の横断面図。
【図８】本発明における傘布固着部材の異なる実施の形態を示す説明図。
【図９】図８に示した実施の形態の使用状態の斜視図。
【図１０】従来の傘布固着具を用いた傘の裏面側からみた斜視図。
【図１１】従来例を示す部分斜視図。
【図１２】異なる従来例を示す部分断面図。
【図１３】異なる従来例を示す部分横断面図。
【図１４】異なる従来例を示す部分斜視図。
【発明を実施するための最良の形態】
【００２２】
図１乃至図７は、本発明を実施する際に用いる傘を示すものであり、従来周知のポリオレフィン・エラストマー（ＰＯＥ）の透明あるいはエチレン・酢酸ビニルコポリマー（ＥＶＡ樹脂）の半透明の合成樹脂製のビニール傘と称される傘について実施した場合の好ましい実施の形態を示すものであり、傘全体の構成は前記図１０に示した従来例と同様に、基端に手元２を備えた中軸３の先端に配置した上ロクロ４の外周に基端部を枢着させて開閉可能に取り付けられた複数の親骨５に例えば取り外し可能な露先６を介して傘布７を張設したものであると好ましい。特に、傘布７は従来のものと同様にほぼ三角形状をなす複数枚の布片７１を接合代７２で縫着（または溶着）などの固着手段により互いに接合して形成されている。
【００２３】
図２乃至図４は前記図１に示した傘における傘布７の裏面に固着されて親骨５における長さ方向の中間部分に着脱自由に固着する本発明である傘布固定具の好ましい実施の形態を示すものであり、中央部に前記親骨５を抜き差し可能に嵌挿支持する頂部を開放したＣ形の親骨支持部１１が立設されているとともに前記親骨支持部１１を挟んで両側に取付け用脚片１２，１２が延設されている固定具本体１と、所定の間隔で上下方向に向けて配置した前記取付け用脚片１２，１２を緩挿する差込部８２，８２を互いに対向させて傘布７の裏面の所定位置に固着される一対のループ部材８１，８１からなる前記固定具本体１を傘布７に固着するための傘布固着部材８とから構成される。
【００２４】
固定具本体１は、取付け用脚片１２，１２を含めて適宜の弾性を有する熱可塑性の硬質合成樹脂材により一体的に形成されていることが生産性、耐久性などの面から有利である。そうすると前記親骨５と前記親骨支持部１１両者に離脱方向の力が作用した場合に一気に離脱することなく取付け用脚片１２，１２の緩衝作用を介して離脱するので使用者に急激な離脱のショックが伝わったりすることがない。また、前記親骨支持部１１の厚さとしては５ｍｍ程度とすることにより連結強度を確保可能であり、前記取付け用脚片１２，１２の厚さを１ｍｍ程度とすることにより傘布固着部材８への固着力を発揮させるための引っ張り強度と差し込み容易性を確保するための屈曲性を併有することができ、また、その弾性により離脱力が作用したときに取付け用脚片１２，１２の緩衝作用を発揮させて親骨５の傘布固着部材８からの急激な離脱のために生ずる傘固着部材の傘布７からの剥離や破損を防ぐことができる。
【００２５】
そして、本実施の形態では、前記傘布固着部材８は、傘布７の所定位置（互いに隣接する布片７１，７１を溶着する接合代部分７２）に布辺７１，７１の溶着工程においてループ部材８１，８１を重ねて一体的に溶着することで固着されるので生産工程を減らすことができ生産性を上げることができるとともに固着も確実で美観的にも良好である。
【００２６】
以上の構成を有する本実施の形態を用いて親骨５と傘布７とを固着するには、図２に示すように、傘布７における所定位置に固着させた傘側固着部８を構成するループ部材８１，８１の差込部８２，８２に固着具本体１の取付け用脚片１２，１２をそれぞれ緩挿させて差し込み保持させるとともに図３に示すように、傘布固定具１のＣ形の親骨支持部１１に親骨５を押圧嵌挿することで簡単に親骨５と傘布７をワンタッチで簡単に固着することができるばかりかＣ形の親骨支持部１１は弾性を有する硬質合成樹脂材により形成されるとともに両遊端に膨出部１３，１３を有しているので着脱が容易で、嵌めた後は抜けにくい構造を呈しているので十分な固着力を発揮させることができる。
【００２７】
特に、本実施の形態では、ループ部材８１，８１において前記固着具本体１の取付け用脚片１２，１２の幅とループ状の差込部８２，８２の幅とを予め所定幅に調整しておくことで取付け用脚片１２，１２を差込部８２，８２に差し込んだときに緩挿されて幅方向に押し広げられた状態で装着可能であり適宜の間隔を有して且つ前記取付け用脚片１２，１２を傘布７に接近させた位置に保持させることが可能である。
【００２８】
更に、本実施の形態では、前記Ｃ形の親骨支持部１１の親骨５への支持力が、傘布固着部材８の傘布７への固着力よりも小さく形成されている。そのため、使用時に内側からの風圧により傘布７に衝撃が加わった場合に、はじめに弾性を有する固着具本体１の取付け用脚片１２，１２が傘布固着部材８のループ部材８１，８１と傘布７との固着に前記緩挿と弾性作用による緩衝作用を付加して両者の固着力の維持を増加させ、更に、風圧が強い場合には親骨支持部１１の親骨５への嵌合が先に解除されるので傘布固着部材８と傘布７との固着部分が破損したり剥がれたりすることがなく、傘としての機能を損なうことがなく、再度、親骨５を親骨支持部１１に差し込むだけで容易に元の状態に復帰させて使用することができるものである。
【００２９】
以上のように本実施の形態によると、熟練を要さない者でも容易に且つ迅速に取り付け可能であって生産性に優れているばかりか、傘布７と親骨５との固着も確実で、特に、使用時に風圧により傘布７が受けた衝撃によっても損傷することなく、特に、消費者が簡単に脱着することができるので傘布の修理や交換も容易であり、また、傘布を別途販売して好みの材質や図柄の傘布の傘を使いたいという消費者の需要にも答えることができるものである。
【００３０】
図５乃至図７は本発明における固定具本体１の異なる実施の形態を示すものであり、中央部に前記親骨５を抜き差し可能に嵌挿支持する頂部を開放したＣ形の親骨支持部１１が立設されているとともに前記親骨支持部１１を挟んで両側に取付け用脚片１２，１２が延設されている固定具本体１と、所定の間隔で上下方向に向けて配置した前記取付け用脚片１２，１２を緩挿する差込部８２，８２を互いに対向させて傘布７の裏面の所定位置に固着される一対のループ部材８１，８１により構成される、前記固定具本体１を傘布７に固着するための傘布固着部材８とから構成される傘布固定具において、前記固定具本体の取り付け用脚片１２，１２の形状を円柱状ではなく、板状としたものである。
【００３１】
また、本実施の形態においては、前記固定具本体１の取り付け用脚片１２，１２の形状を板状としたことから、必然的に前記傘布固着部材８の前記固定具本体１の取り付け用脚片１２，１２を緩挿させる差込部８２，８２を互いに対向させて傘布７の裏面の所定位置に固着される一対のループ部材８１，８１の形状についても、前記取り付け用脚片１２，１２の形状に合わせて設計されるものである。
【００３２】
図８乃至図９は本発明における傘布固着部材８の異なる実施の形態を示すものであり、傘布７の布片７１の接合部において布片７１の接合手段である縫着或いは溶着により一体的に布片７１の接合部に固着する点については前記図２乃至図７に示した実施の形態における傘布固着部材８とほぼ同様であるが、傘布固着部材８が所定位置に少なくとも２カ所にスリット８３，８３を形成した１つのループ部材８１からなり、傘布７に取り付け後に中央部分８４を押し潰してその両端にそれぞれの差込口を互いに対向させて所定の間隔で上下方向に向けて配置した一対のループ状を呈する前記固着具本体１の取付け用脚片１２，１２を緩挿させる差込部８２，８２を形成させたものであり、傘布固着部材８を一つの部材により形成することができるので更に生産性を向上させることができる。
【００３３】
また、本実施の形態では前記傘布固着部材８は両端に前記傘布固着部材８の差込部８２，８２にそれぞれ緩挿させて差し込み保持される取付け用脚片１２，１２をそれぞれ延設させた取付け用脚片１２，１２の中央部に親骨５を抜き差し可能に嵌挿支持する頂部を開放したＣ形の親骨支持部１１が立設されているものであり、前記取付け用脚片１２，１２を親骨５側に湾曲または山形に形成することにより（図示せず）傘を収納したときに邪魔になりにくい。
【符号の説明】
【００３４】
１  固定具本体、１１  親骨支持部、１２  取付け用脚片、１３  膨出部、２  手元、３  中軸、３ｃ  中軸、４  上ロクロ、４ｃ  上ロクロ、５  親骨、５ａ  親骨、５ｂ  親骨、５ｃ  親骨、５ｄ  親骨、６  露先、６ｃ  露先、７  傘布、７ａ  傘布、７ｂ  傘布、７ｃ  傘布、７ｄ  傘布、７１  布片、７２  接合代部分、８  傘布固着部材、８１  ループ部材、８２  差込部、８３  スリット、８４  中央部分、９  糸、９１ａ  傘布固着部材、９２ａ  ホック、９３ａ  傘布固定具、９４ｂ  傘布固着部材、９５ｂ  面ファスナ、９６ｂ  傘布固定具、９７ｃ  嵌合部、９８ｃ  傘布固定具、９９ｄ  傘布固定具
【図１】
2015208474.tif 000003
【図２】
2015208474.tif 000004
【図３】
2015208474.tif 000005
【図４】
2015208474.tif 000006
【図５】
2015208474.tif 000007
【図６】
2015208474.tif 000008
【図７】
2015208474.tif 000009
【図８】
2015208474.tif 000010
【図９】
2015208474.tif 000011
【図１０】
2015208474.tif 000012
【図１１】
2015208474.tif 000013
【図１２】
2015208474.tif 000014
【図１３】
2015208474.tif 000015
【図１４】
2015208474.tif 000016